(57)【要約】      （修正有）【課題】コストを節約し容易に設置できるサイドミラーのライトバーを提供する。【解決手段】ケース１と、光ガイド板２と、枠３と、第一プリント基板４と、第二プリント基板５と、第三プリント基板６と、蓋７とを有し、ケース１は透光性を有し、ケース１に凹部１２を有する収納槽１１が設けられ、凹部１２の周りに数個の位置決め柱１３が設けられ、光ガイド板２は透光性を有し、且つ凹部１２に設けられる片状体であり、枠３が収納槽１１に設けられるように左板体３０１及び右板体３０２で組み合われて形成され、且つ指示部３２を有し、第一プリント基板４、第二プリント基板５及び第三プリント基板６が収納槽１１に設けられ、そして第一プリント基板４、第二プリント基板５及び第三プリント基板６に数個の発光部品４１、５１、６１が別々に枠３の外に発光するように設けられ、蓋７が収納槽１１を覆うことで、枠３内にある部品が固定されるようになり、蓋７は電線が通過するための孔７１を有する。【選択図】図２
0003212144.tif 000002
【実用新案登録請求の範囲】
【請求項１】
サイドミラーのミラーベースに装設されることができ、
ケースと、光ガイド板と、枠と、第一プリント基板と、第二プリント基板と、第三プリント基板と、蓋とを有する改良型サイドミラーのライトバーであり、
当該ケースは透光性を有し、且つ当該ケースの後側に当該ミラーベースに対応する収納槽が設けられ、当該収納槽にさらに凹部が凹設され、且つ当該凹部の周りに数個の位置決め柱が設けられ、
当該光ガイド板が透光性を有し、且つ当該凹部に設けられることができる片状体であり、
当該枠が当該収納槽に設けられるように左板体及び右板体で組み合われて形成され、当該枠は、数個の当該位置決め柱と別々に対応し、当該光ガイド板を位置決めするための数個の第一位置決め孔と、当該光ガイド板に対応する指示部とを有し、該枠の当該指示部の側の一端に穿孔が設けられ、当該枠の下側に透孔が設けられ、
当該第一プリント基板が当該指示部に対応する数個の第一発光部品を有し、且つ当該収納槽内に設けられ、そして当該第一プリント基板が車と電気的に連接されることで、数個の当該第一発光部品は当該光ガイド板で同時に連続発光すること、同時に明滅すること、或いは順次に発光すること、のうちの一つのモードで外に発光することが制御されるようになり、
当該第二プリント基板が当該収納槽内に設けられて電線で当該第一プリント基板と電気的に連接され、そして当該第二プリント基板は当該穿孔に対応する数個の第二発光部品を有し、
当該第三プリント基板が当該収納槽内に設けられて車と電気的に連接され、そして当該第三プリント基板は当該透孔に対応する数個の第三発光部品を有し、
当該蓋は当該収納槽を覆うことで、当該収納槽内にある当該光ガイド板、当該枠、当該第一プリント基板、当該第二プリント基板及び当該第三プリント基板が固定され、当該蓋は電線が通過するための孔を有することを特徴とするサイドミラーのライトバー。
【請求項２】
前記ケースにある前記凹部に、さらに間隔を有する二つの位置決め部品が設けられ、前記光ガイド板が二つの当該位置決め部品の間に対応することを特徴とする請求項1に記載のサイドミラーのライトバー。
【請求項３】
前記枠の内側にある前記穿孔に、さらに前記第二プリント基板を挿設して位置決めするための第一位置決め槽が設けられることを特徴とする請求項1に記載のサイドミラーのライトバー。
【請求項４】
前記枠の内側にある前記透孔に、さらに前記第三プリント基板を挿設して位置決めするための第二位置決め槽が設けられることを特徴とする請求項1に記載のサイドミラーのライトバー。
【請求項５】
前記光ガイド板の一側にさらに方向表示部を有する印刷面が設けられることを特徴とする請求項1に記載のサイドミラーのライトバー。
【請求項６】
前記枠の内側にある前記指示部に、さらに間隔で設けられる数個の間隔部品が設けられることを特徴とする請求項1に記載のサイドミラーのライトバー。
【請求項７】
前記蓋にある孔は、大きさを調整できる孔であることを特徴とする請求項1に記載のサイドミラーのライトバー。
【考案の詳細な説明】
【技術分野】
【０００１】
本考案は、ライトバーを関し、特にサイドミラーに設置することができるライトバーの構造に関するものである。
【背景技術】
【０００２】
現在、各種の車があり、交通が便利になり、でも運転中にも注意しなければならなく、例えば、車の両側に設置されるサイドミラー及びバックミラーで映される映像で、運転者は両側及び後ろに他の車或いは人がいるかどうかを確認し、事故を発生させないようにする。
【０００３】
現在のサイドミラーは後ろに観察するサポート機能があるが、夜に運転する場合に視線が悪いことで、サイドミラーで呈する映像は明瞭ではなく、その上に、車の両側に警告表示がほとんどないので、気づかない場合に事故が容易に発生するようになり、従って、上述した問題を解決するために、業者は車の側面にサイドライトを設置する以外に、サイドミラーのミラーベースにライトを設置する方法もある。
【０００４】
しかし、現在のライト構造が方向指示器と配合して警告の効果を強くするように発光され、他の機能、例えば足元照明がなく、サイドライトが別に設置する必要があり、また、外見の変化以外に、その発光効果はただ方向指示器の単一色の光と配合して発光することだけであるので、出願人は台湾実用新案第538003号で上述した欠点を改善する。
【０００５】
しかし、上述した実用新案の内容により、ケースが枠と精密に配合される必要があり、そしてその二つの部品の構造が当該実用新案の図面に示すような複雑な構造であることで、製品の組み立てが難くなったり、製品の不良率が相対的に高くなったり、無駄な生産コストが増加したりすることがある。
【考案の概要】
【考案が解決しようとする課題】
【０００６】
そこで、上記の問題点に対して、機能性及び価値を高めることができる改良型のサイドミラーのライトバーを提供することが本考案の課題となる。
【課題を解決するための手段】
【０００７】
本考案の目的は、製品の不良率の減少、製品のモールドのコストの節約及び容易に設置できることが達成できるサイドミラーのライトバーを提供する。
【０００８】
前記問題点を解決でき、上記目的を達成するために、本考案の改良型サイドミラーのライトバーは、サイドミラーのミラーベースに装設されることができ、ケースと、光ガイド板と、枠と、第一プリント基板と、第二プリント基板と、第三プリント基板と、蓋とを有する改良型サイドミラーのライトバーであり、当該ケースは透光性を有し、且つ当該ケースの後側に当該ミラーベースに対応する収納槽が設けられ、当該収納槽にさらに凹部が凹設され、且つ当該凹部の周りに数個の位置決め柱が設けられ、当該光ガイド板が透光性を有し、且つ当該凹部に設けられることができる片状体であり、当該枠が当該収納槽に設けられるように左板体及び右板体で組み合われて形成され、当該枠は、数個の当該位置決め柱と別々に対応し、当該光ガイド板を位置決めするための数個の第一位置決め孔と、当該光ガイド板に対応する指示部とを有し、該枠の当該指示部の側の一端に穿孔が設けられ、当該枠の下側に透孔が設けられ、当該第一プリント基板が当該指示部に対応する数個の第一発光部品を有し、且つ当該収納槽内に設けられ、そして当該第一プリント基板が車と電気的に連接されることで、数個の当該第一発光部品は当該光ガイド板で同時に連続発光すること、同時に明滅すること、或いは順次に発光すること、のうちの一つのモードで外に発光することが制御されるようになり、当該第二プリント基板が当該収納槽内に設けられてケーブルで当該第一プリント基板と電気的に連接され、そして当該第二プリント基板は当該穿孔に対応する数個の第二発光部品を有し、当該第三プリント基板が当該収納槽内に設けられて車と電気的に連接され、そして当該第三プリント基板は当該透孔に対応する数個の第三発光部品を有し、当該蓋は当該収納槽を覆うことで、当該収納槽内にある当該光ガイド板、当該枠、当該第一プリント基板、当該第二プリント基板及び当該第三プリント基板が固定され、当該蓋は電線が通過するための孔を有する。
【０００９】
前記ケースにある前記凹部に、さらに間隔を有する二つの位置決め部品が設けられ、前記光ガイド板が二つの当該位置決め部品の間に対応することが好ましい。
【００１０】
前記枠の内側にある前記穿孔に、さらに前記第二プリント基板を挿設して位置決めするための第一位置決め槽が設けられることが好ましい。
【００１１】
前記枠の内側にある前記透孔に、さらに前記第三プリント基板を挿設して位置決めするための第二位置決め槽が設けられることが好ましい。
【００１２】
前記光ガイド板の一側にさらに方向表示部を有する印刷面が設けられることが好ましい。
【００１３】
前記枠の内側にある前記指示部に、さらに間隔で設けられる数個の間隔部品が設けられることが好ましい。
【００１４】
前記蓋にある孔は、大きさを調整できる孔であることが好ましい。
【考案の効果】
【００１５】
本考案は、従来の技術と比べて、次に列挙する効果がある。
【００１６】
1.本考案の枠が左板体及び右板体で構成され、且つケースの収容槽と対応して配合されることができ、枠が二つの部品で構成されることで、製品の不良率の減少、製品のモールドのコストの節約及び容易に設置できることが達成できる。
【００１７】
2.本考案の第一プリント基板及び第三プリント基板は、蓋にある孔を通過して車と電気的に連接するための電線を有し、電線の数及び太さにより、孔の大きさが電線が通過することために拡大でき、且つ数本の電線が孔できちんと整理されるようになることで、本考案がさらに容易にサイドミラーのミラーベースに設置されるようになる。
【図面の簡単な説明】
【００１８】
【図１】：本考案を示す斜視図
【図２】：本考案を示す分解斜視図
【図３】：本考案の他の視角を示す分解斜視図
【図４】：本考案は蓋がない状態を示す背面図
【図５】：本考案がサイドミラーに設置される状態を示す斜視図
【図６】：本考案の枠のもう一つの実施状態を示す正面図
【考案を実施するための形態】
【００１９】
以下、本考案の実施の形態について、図面を参照して詳細に説明する。
【００２０】
図1乃至図3に示すように、本考案の改良型サイドミラーのライトバーは、サイドミラーのミラーベースAに装設されることができ、ケース1と、光ガイド板2と、枠3と、第一プリント基板4と、第二プリント基板5と、第三プリント基板6と、蓋7とを有する改良型サイドミラーのライトバー100であり、当該ケース1は透光性を有し、且つ当該ケース1の後側に当該ミラーベースAに対応する収納槽11が設けられ、当該収納槽11にさらに凹部12が凹設され、且つ当該凹部12の周りに数個の位置決め柱13が設けられ、当該光ガイド板2が透光性を有し、且つ当該凹部12に設けられることができる片状体であり、当該枠3が当該収納槽11に設けられるように左板体301及び右板体302で組み合われて形成され、当該枠3は、数個の当該位置決め柱13と別々に対応し、当該光ガイド板2を位置決めするための数個の第一位置決め孔31と、当該光ガイド板2に対応する指示部32とを有し、該枠の当該指示部32の側の一端に穿孔33が設けられ、当該枠3の下側に透孔34が設けられ、当該第一プリント基板4が当該指示部32に対応する数個の第一発光部品41を有し、且つ当該収納槽11内に設けられ、そして当該第一プリント基板4が車と電気的に連接されることで、数個の当該第一発光部品41は当該光ガイド板2で同時に連続発光すること、同時に明滅すること、或いは順次に発光すること、のうちの一つのモードで外に発光することが制御されるようになり、当該第二プリント基板5が当該収納槽11内に設けられて電線で当該第一プリント基板4と電気的に連接され、そして当該第二プリント基板5は当該穿孔33に対応する数個の第二発光部品51を有し、当該第三プリント基板6が当該収納槽11内に設けられて車と電気的に連接され、そして当該第三プリント基板6は当該透孔34に対応する数個の第三発光部品61を有し、当該蓋7は当該収納槽11を覆うことで、当該収納槽11内にある当該光ガイド板2、当該枠3、当該第一プリント基板4、当該第二プリント基板5及び当該第三プリント基板6が固定され、当該蓋7は電線が通過するための孔71を有する。
【００２１】
その中に、上述したデサインで作られた前記改良型サイドミラーのライトバー100が、前記光ガイド板2、前記枠3、前記第一プリント基板4、前記第二プリント基板5、前記第三プリント基板6及び前記蓋7を前記ケース1にある前記収納槽11内に設置し、そして当該蓋7で当該収納槽11を覆うことで組み立てられ、且つ図5に示すように、車の前端向かってサイドミラーのミラーベースAに設置されることで、当該第一プリント基板4が車と電気的に連接される場合に、前記第一発光部品41は当該光ガイド板2で外に発光し、且つ車の設定により、各当該第一発光部品41は同時に連続発光すること、同時に明滅すること、或いは順次に発光すること、のうちの一つのモードで発光することが制御されるようになり、この発光機能により、他の車や人々に注意を促し、交通事故の発生率が低くなるようになることができる。
【００２２】
また、前記枠3の構造は前記左板体301及び前記右板体302で組み合われる構造であり、当該枠3が二つの部品で構成される構造は、一体に成形される従来の製品と比べて、製品の不良率の減少、製品のモールドのコストの節約及び容易に設置できることが達成できる。
【００２３】
前記ケース1にある前記凹部12に、さらに間隔を有する二つの位置決め部品121が設けられ、前記光ガイド板2が二つの当該位置決め部品121の間に対応する。
【００２４】
その中に、前記光ガイド板2が前記ケース1にある前記凹部12内に設置され、当該凹部12にさらに間隔を有する二つの前記位置決め部品121が設けられることで、当該光ガイド板2が当該位置決め部品121の間に設置されて位置決めされるようになり、従来の製品と比べて、使われる部品が減少して生産コストの節約が達成できる。
【００２５】
前記枠3の内側にある前記穿孔33に、さらに前記第二プリント基板5を挿設して位置決めするための第一位置決め槽35が設けられる。
【００２６】
前記枠3の内側にある前記透孔34に、さらに前記第三プリント基板6を挿設して位置決めするための第二位置決め槽36が設けられる。
【００２７】
その中に、図3に示すように、前記枠3の一側の一端に前記穿孔33がもうけられ、下側に前記透孔34が設けられ、内側に別々に前記第一位置決め槽35及び前記第二位置決め槽36が設けられることで、前記第二プリント基板5及び前記第三プリント基板6が挿設されるようになり、前記第一プリント基板4にある前記第一発光部品41と共に、当該第二プリント基板5で前記第二発光部品51が車の側に発光するようになり、当該第三プリント基板6が車と電気的に連接されることで、車のドアが開く場合に、前記第三発光部品61が下向きに発光するようになる。
【００２８】
また、図4に示すように、前記透孔34の両側に対応する位置にL字型の部品が設置されることで、当該透孔34の内側に前記第二位置決め槽36が形成され、同時に、その中の一つのL字型の部品の長側が前記穿孔33の一側に位置され、故に、当該穿孔33の他の一側にI字型の部品が設置されること、当該穿孔33の内側に前記第一位置決め槽35が形成されることで、本考案の構造が従来の製品の構造と比べて、より単純で優秀な構造である。
【００２９】
前記光ガイド板2の一側にさらに方向表示部を有する印刷面21が設けられる。
【００３０】
その中に、前記光ガイド板2は片状体であり、且つ透光性及び質感が良いというメリットを有し、当該光ガイド板2の表面に前記印刷面21が設けられ、当該印刷面21は、透光性が必要ではない部分を覆うことで光線がさらに集中されるようになるための方向表示部を有し、また、当該印刷面21がいろんな形の図案で表現されることできるので、消費者は多くの選択肢があるようになる。
【００３１】
前記枠3の内側にある前記指示部32に、さらに間隔で設けられる数個の間隔部品321が設けられる。
【００３２】
前記間隔部品321で、図6に示すように、各当該間隔部品321の中央の部分が切り離される状態で実施されことで、前記枠3の多元性がさらに高くなり、その美観も上昇するようになる。
【００３３】
前記蓋7にある孔71は、大きさを調整できる孔である。
【００３４】
その中に、本考案の前記第一プリント基板4及び前記第三プリント基板6は電線を有し、その電線が前記蓋7にある前記孔71を通過して車と電気的に連接され、前記第一発光部品41、前記第二発光部品51及び前記第三発光部品61が発光するために使われ、当該孔71が図3に示すように設けられ、当該孔71の中央は環状体であり、この環状体の縁が当該蓋7と連接されることで、スポークのような構造が形成され、そして電線の量及び太さにより、当該孔71中央にある環状体が取り外されることで、当該孔71の大きさが拡大でき、電線が容易に通過するようになり、上述した構造により、数本の電線がきちんと整理されるようになり、本考案がさらに容易にサイドミラーの前記ミラーベースAに設置されるようになる。
【００３５】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３６】
1   ケース                     36    第二位置決め槽
11  収納槽                     301   左板体
12  凹部                       302   右板体
121 位置決め部品               4     第一プリント基板
13  位置決め柱                 41    第一発光部品
2   光ガイド板                 5     第二プリント基板
21  印刷面                     51    第二発光部品
3   枠                         6     第三プリント基板
31  第一位置決め孔             61    第三発光部品
32  指示部                     7     蓋
321 間隔部品                   71    孔
33  穿孔                       100   改良型サイドミラーのライトバー
34  透孔                       A     ミラーベース
35  第一位置決め槽
【図１】
0003212144.tif 000003
【図２】
0003212144.tif 000004
【図３】
0003212144.tif 000005
【図４】
0003212144.tif 000006
【図５】
0003212144.tif 000007
【図６】
0003212144.tif 000008